【手続補正書】
【提出日】平成22年9月13日(2010.9.13)
【手続補正１】
【補正対象書類名】特許請求の範囲
【補正対象項目名】全文
【補正方法】変更
【補正の内容】
【特許請求の範囲】
【請求項１】
画像処理装置の記録手段に記録された画像データを、前記画像処理装置に接続された画像蓄積装置の蓄積手段に転送して蓄積する画像蓄積システムにおいて、
前記画像蓄積装置に接続された第１の表示手段の状態を検出する検出手段と、
前記画像蓄積装置に画像データを蓄積する際の操作方式を設定する設定手段とを有し、
前記設定手段は、
前記検出手段において、前記第１表示手段が前記画像処理装置から転送される画像データを表示することができない状態にあることが検出された場合には、前記操作方式を、前記記録手段に記録された画像データを前記画像処理装置が有する第２表示手段に表示し、前記第２の表示手段に表示された画像データを前記画像処理装置が有する操作部の操作に応じて転送して前記画像蓄積装置の蓄積手段に蓄積する第一の操作方式に設定し、
前記検出手段において、前記第１の表示手段が前記画像処理装置から転送される画像データを表示することができる状態にあることが検出された場合には、前記操作方式を、前記画像蓄積装置が前記画像処理装置から転送された画像データを前記第１の表示手段に表示し、前記第１の表示手段に表示された画像データを前記画像蓄積装置が有する操作部の操作に応じて前記蓄積手段に蓄積する第二の操作方式に設定する、ことを特徴とする画像蓄積システム。
【請求項２】
画像処理装置及び表示装置と接続する画像蓄積装置であって、
前記表示装置が前記画像処理装置から転送される画像データを表示することができる状態か否かを検出する検出手段と、
前記画像蓄積装置に画像データを蓄積する際の操作方式を設定する設定手段とを有し、
前記設定手段は、
前記検出手段により、前記表示装置が前記画像処理装置から転送される画像データを表示することができない状態にあることが検出された場合には、前記操作方式を、前記画像処理装置に記憶された画像データを前記画像処理装置の表示部に表示させ、前記表示部に表示された画像データを前記画像処理装置の操作部の操作に応じて前記画像蓄積装置に転送して蓄積する第一の操作方式に設定し、
前記検出手段により、前記表示装置が前記画像処理装置から転送される画像データを表示することができる状態にあることが検出された場合には、前記操作方式を、前記画像処理装置から転送された画像データを前記表示装置に表示させ、前記表示装置に表示された画像データを前記画像蓄積装置の操作部の操作に応じて前記画像蓄積装置に蓄積する第二の操作方式に設定する、ことを特徴とする画像蓄積装置。
【請求項３】
前記設定手段は、
前記検出手段が、前記表示装置が前記画像処理装置から転送される画像データを表示することができない状態にあることを検出した場合には、前記操作方式を前記第一の操作方式に設定する制御コマンドを前記画像処理装置に送信し、
前記検出手段が、前記表示装置が前記画像処理装置から転送される画像データを表示することができる状態にあることを検出した場合には、前記操作方式を前記第二の操作方式に設定する制御コマンドを前記画像処理装置に送信する、ことを特徴とする請求項２に記載の画像蓄積装置。
【請求項４】
前記第二の操作方式に設定する制御コマンドは、前記画像処理装置の前記操作部及び前記表示部の動作を停止させるコマンドである、ことを特徴とする請求項３に記載の画像蓄積装置。
【請求項５】
前記表示装置は、前記画像蓄積装置と一体であることを特徴とする請求項２乃至４のいずれか１項に記載の画像蓄積装置。
【請求項６】
前記画像処理装置は、被写体を撮像して前記画像データを得る撮像手段を有する撮像装置であることを特徴とする請求項２乃至５のいずれか１項に記載の画像蓄積装置。
【請求項７】
前記表示装置は、テレビジョン信号を受信し、前記受信したテレビジョン信号に基づく映像を表示することが可能な表示装置であって、
前記検出手段は、前記表示装置が前記受信したテレビジョン信号に基づく映像を表示している場合には、前記表示装置が前記画像処理装置から転送される画像データを表示することができない状態にあること検出することを特徴とする請求項２乃至６のいずれか１項に記載の画像蓄積装置。
【請求項８】
画像処理装置及び表示装置と接続する画像蓄積装置の制御方法であって、
前記表示装置が前記画像処理装置から転送される画像データを表示することができる状態か否かを検出手段が検出する検出工程と、
前記画像蓄積装置に画像データを蓄積する際の操作方式を設定手段が設定する設定工程とを有し、
前記設定手段は前記設定工程において、
前記検出工程により、前記表示装置が前記画像処理装置から転送される画像データを表示することができない状態にあることが検出された場合には、前記操作方式を、前記画像処理装置に記憶された画像データを前記画像処理装置の表示部に表示させ、前記表示部に表示された画像データを前記画像処理装置の操作部の操作に応じて前記画像蓄積装置に転送して蓄積する第一の操作方式に設定し、
前記検出工程により、前記表示装置が前記画像処理装置から転送される画像データを表示することができる状態にあることが検出された場合には、前記操作方式を、前記画像処理装置から転送された画像データを前記表示装置に表示させ、前記表示装置に表示された画像データを前記画像蓄積装置の操作部の操作に応じて前記画像蓄積装置に蓄積する第二の操作方式に設定する、ことを特徴とする画像蓄積装置の制御方法。
【請求項９】
請求項８記載の画像蓄積装置の制御方法の各工程をコンピュータに実行させるためのプログラム。
【手続補正２】
【補正対象書類名】明細書
【補正対象項目名】０００９
【補正方法】変更
【補正の内容】
【０００９】
上記の課題を解決するため、本発明の実施形態に係る画像蓄積システムは、画像処理装置の記録手段に記録された画像データを、画像処理装置に接続された画像蓄積装置の蓄積手段に転送して蓄積する画像蓄積システムにおいて、画像蓄積装置に接続された第１の表示手段の状態を検出する検出手段と、画像蓄積装置に画像データを蓄積する際の操作方式を設定する設定手段とを有し、設定手段は、検出手段において、第１表示手段が画像処理装置から転送される画像データを表示することができない状態にあることが検出された場合には、操作方式を、記録手段に記録された画像データを画像処理装置が有する第２表示手段に表示し、第２の表示手段に表示された画像データを画像処理装置が有する操作部の操作に応じて転送して画像蓄積装置の蓄積手段に蓄積する第一の操作方式に設定し、検出手段において、第１の表示手段が画像処理装置から転送される画像データを表示することができる状態にあることが検出された場合には、操作方式を、画像蓄積装置が画像処理装置から転送された画像データを第１の表示手段に表示し、第１の表示手段に表示された画像データを画像蓄積装置が有する操作部の操作に応じて前記蓄積手段に蓄積する第二の操作方式に設定する、ことを特徴とする。
【手続補正３】
【補正対象書類名】明細書
【補正対象項目名】００１０
【補正方法】変更
【補正の内容】
【００１０】
上記の課題を解決するため、本発明の実施形態に係る画像蓄積装置は、画像処理装置及び表示装置と接続する画像蓄積装置であって、表示装置が画像処理装置から転送される画像データを表示することができる状態か否かを検出する検出手段と、画像蓄積装置に画像データを蓄積する際の操作方式を設定する設定手段とを有し、設定手段は、検出手段により、表示装置が画像処理装置から転送される画像データを表示することができない状態にあることが検出された場合には、操作方式を、画像処理装置に記憶された画像データを画像処理装置の表示部に表示させ、表示部に表示された画像データを画像処理装置の操作部の操作に応じて画像蓄積装置に転送して蓄積する第一の操作方式に設定し、検出手段により、表示装置が画像処理装置から転送される画像データを表示することができる状態にあることが検出された場合には、操作方式を、画像処理装置から転送された画像データを表示装置に表示させ、表示装置に表示された画像データを画像蓄積装置の操作部の操作に応じて画像蓄積装置に蓄積する第二の操作方式に設定する、ことを特徴とする。
【手続補正４】
【補正対象書類名】明細書
【補正対象項目名】００１１
【補正方法】変更
【補正の内容】
【００１１】
上記の課題を解決するため、本発明の実施形態に係る画像蓄積装置の制御方法は、画像処理装置及び表示装置と接続する画像蓄積装置の制御方法であって、表示装置が画像処理装置から転送される画像データを表示することができる状態か否かを検出手段が検出する検出工程と、画像蓄積装置に画像データを蓄積する際の操作方式を設定手段が設定する設定工程とを有し、設定手段は設定工程において、検出工程により、表示装置が画像処理装置から転送される画像データを表示することができない状態にあることが検出された場合には、操作方式を、画像処理装置に記憶された画像データを画像処理装置の表示部に表示させ、表示部に表示された画像データを画像処理装置の操作部の操作に応じて画像蓄積装置に転送して蓄積する第一の操作方式に設定し、検出工程により、表示装置が画像処理装置から転送される画像データを表示することができる状態にあることが検出された場合には、操作方式を、画像処理装置から転送された画像データを表示装置に表示させ、表示装置に表示された画像データを画像蓄積装置の操作部の操作に応じて画像蓄積装置に蓄積する第二の操作方式に設定する、ことを特徴とする。